【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
多次元データセットの用量命令記録のサブセットに関するデータ分析のための用量命令記録に対応する多次元データセットを処理するためのデータ分析ツールを実装するためのシステムであって、
複数のローカルサーバと動作可能に通信する中央サーバであって、各ローカルサーバは患者に投与するための用量命令に対応する用量を調製するそれぞれの対応施設に配置されており、前記ローカルサーバから前記用量命令に対応する用量命令記録に関する情報を受信する中央サーバと、
前記複数のローカルサーバから受信する複数の用量命令記録を含む多次元データセットを備えるデータ構造を格納する中央サーバにあるデータベースであって、前記多次元データセットの前記複数の用量命令記録のそれぞれが前記用量命令記録の受信元の施設の少なくとも１つの表示を含むデータベースと、
前記複数の施設の１つのユーザからのユーザ情報を前記複数のローカルサーバの少なくとも１つから受信するための前記複数のローカルサーバと動作可能に通信するローカルサーバインタフェースであって、前記ユーザ情報はユーザがデータ分析ツールにアクセスしている所定の施設を表示する情報であるローカルサーバインタフェースと、
データ分析ツールとの動作可能な通信を促進するデータ分析インタフェースであって、前記データベースに格納される多次元データセットへのデータ分析ツールアクセスを提供して、前記ローカルサーバインタフェースから受信する前記ユーザ情報に基づいて前記ユーザが前記データ分析ツールにアクセスしている前記所定の施設に対応する前記多次元データセットのサブセットに関する動的に生成されるレポートを生成するデータ分析インタフェースと、
前記ユーザが前記データ分析ツールにアクセスしている前記所定の施設に対応する前記多次元データセットのサブセットに関する前記動的に生成されるレポートをユーザインタフェースで前記ユーザに提示するユーザインタフェースと
を備える、システム。
【請求項２】
前記データ分析ツールは、前記動的に生成されるレポートを生成するために前記多次元データセットに適用可能な複数のデータキューブクラス定義を備える、請求項１に記載のシステム。
【請求項３】
前記複数のデータキューブクラス定義は、前記複数のデータキューブクラス定義の他の全てが従属する基本キューブクラス定義を備える、請求項２に記載のシステム。
【請求項４】
前記基本キューブクラス定義は、前記用量命令記録に対応する施設の前記少なくとも１つの表示に関連する少なくとも１つのデータ次元を含む、請求項３に記載のシステム。
【請求項５】
前記中央サーバと動作可能に通信するデータ分析サーバ上で実行され、前記ユーザが前記データ分析ツールにアクセスしている所定の施設を表示する前記ユーザ情報に基づいて前記多次元データセットに前記基本キューブクラス定義を適用するためのデータ分析ツールを更に含み、ここで前記データ分析ツールは前記ユーザが前記データ分析ツールにアクセスしている前記所定の施設に対応する前記多次元データセットのサブセットにユーザがアクセス可能なデータを制限するデータキューブを前記適用に基づいて構築するように動作する、請求項４に記載のシステム。
【請求項６】
前記データ分析ツールは、前記多次元データセットのサブセットにおいて少なくとも１つのデータ変換操作を実行するように更に動作し、ここで前記少なくとも１つのデータ変換操作は、前記基本キューブクラス定義で定義される、請求項５に記載のシステム。
【請求項７】
前記少なくとも１つのデータ変換は、前記サブセットにおける各所定の用量命令記録の第１のデータフィールドを、前記サブセットの前記用量命令記録のそれぞれの第２のデータフィールドで自動的に書き換えることを含む、請求項６に記載のシステム。
【請求項８】
前記少なくとも１つのデータ変換を、用量命令記録の所定のタイプのみに適用する、請求項７に記載のシステム。
【請求項９】
前記用量命令記録のタイプは、完全腸管外栄養（ＴＰＮ）用量であり、前記第１のデータフィールドは用量説明フィールドを備え、前記第２のフィールドは前記所定の用量の薬品名フィールドを備える、請求項８に記載のシステム。
【請求項１０】
前記中央サーバは、前記ユーザが前記データ分析ツールにアクセスしている前記所定の施設に対応する前記多次元データセットのサブセットに適用するために前記基本キューブクラス定義から従属する他のデータキューブクラス定義を呼び出し、前記多次元データセットのサブセットに関する前記動的に生成されるレポートを生成するように更に動作する、請求項５に記載のシステム。
【請求項１１】
前記複数のデータキューブクラス定義は、前記データキューブクラス定義を使用して構築されたデータキューブが保護対象保健情報（ＰＨＩ）を含むかどうかを表示するパラメータを含む、請求項３に記載のシステム。
【請求項１２】
前記パラメータは、前記データキューブクラス定義の少なくとも１つの次元に基づいて動的に生成される、請求項１１に記載のシステム。
【手続補正２】
【補正対象書類名】明細書
【補正対象項目名】００７４
【補正方法】変更
【補正の内容】
【００７４】
本発明を図面及び上述の説明において詳細に図示及び説明してきたが、そのような図示及び説明は例示的なものであり、特徴を限定するものではないとみなすべきである。例えば、上記特定の実施形態は、説明した他の実施形態と組み合わせ可能であり、及び／又は他の方法で構成されてもよい（例えば、プロセス要素が他の順序で実行されてよい）。従って、好ましい実施形態及びその変形を示し且つ説明してきたに過ぎず、本発明の趣旨に含まれるあらゆる改変及び変更が保護されることが望ましいと理解すべきである。
一側面において、本発明は以下の発明を包含する。
（発明１）
多次元データセットの用量命令記録のサブセットに関するデータ分析をユーザに提供するのに使用する前記用量命令記録に対応する前記多次元データセットを処理するためのデータ分析ツールへの選択的なアクセスをユーザに提供する方法であって、該方法は
複数の用量命令記録に対応する情報を備える多次元データセットを格納し、ここで前記多次元データセットの複数の用量命令記録は前記用量命令記録に対応する施設の少なくとも１つの表示を含み、前記多次元データセットは複数の施設に対応する用量命令記録を含み、
前記複数の施設の１つでのユーザからのユーザ情報を受信し、ここで前記ユーザ情報はユーザがデータ分析ツールにアクセスしている所定の施設を表示する情報であり、
前記データ分析ツールが前記多次元データセットにアクセスして、前記ユーザが前記データ分析ツールにアクセスしている前記所定の施設に対応する前記多次元データセットのサブセットに関する動的に生成されるレポートを生成し、及び
前記ユーザが前記データ分析ツールにアクセスしている前記所定の施設に対応する前記多次元データセットのサブセットに関する動的に生成されるレポートを前記ユーザにユーザインタフェースで提示すること
を含む、方法。
（発明２）
前記データ分析ツールは、前記動的に生成されるレポートを生成するために前記多次元データセットに適用可能な複数のデータキューブクラス定義を備える、発明１に記載の方法。
（発明３）
前記複数のデータキューブクラス定義は、前記複数のデータキューブクラス定義の他の全てが従属する基本キューブクラス定義を備える、発明２に記載の方法。
（発明４）
前記基本キューブクラス定義は、前記用量命令記録に対応する施設の前記少なくとも１つの表示に関連する少なくとも１つのデータ次元を含む、発明３に記載の方法。
（発明５）
前記ユーザが前記データ分析ツールにアクセスしている前記所定の施設を表示する前記ユーザ情報に基づいて、前記多次元データセットに前記基本キューブクラス定義を適用し、
前記ユーザが前記データ分析ツールにアクセスしている前記所定の施設に対応する前記多次元データセットのサブセットにユーザがアクセス可能なデータを制限するデータキューブを前記適用に基づいて構築すること
を更に含む、発明４に記載の方法。
（発明６）
前記構築することは、
前記多次元データセットのサブセットにおいて少なくとも１つのデータ変換操作を実行することを更に含み、ここで、前記少なくとも１つのデータ変換操作は前記基本キューブクラス定義で定義される、発明５に記載の方法。
（発明７）
前記少なくとも１つのデータ変換は、前記サブセットにおける各所定の用量命令記録の第１のデータフィールドを、前記サブセットの前記用量命令記録のそれぞれの第２のデータフィールドで自動的に書き換えることを含む、発明６に記載の方法。
（発明８）
前記少なくとも１つのデータ変換を用量命令記録の所定のタイプのみに適用する、発明７に記載の方法。
（発明９）
前記用量命令記録のタイプは、完全腸管外口栄養（ＴＰＮ）用量であり、前記第１のデータフィールドは用量説明フィールドを備え、前記第２のフィールドは前記所定の用量の薬品名フィールドを備える、発明８に記載の方法。
（発明１０）
前記ユーザが前記データ分析ツールにアクセスしている前記所定の施設に対応する前記多次元データセットのサブセットに適用するために前記基本キューブクラス定義から従属する他のデータキューブクラス定義を呼び出し、前記多次元データセットのサブセットに関する前記動的に生成されるレポートを生成すること
を更に含む、発明５に記載の方法。
（発明１１）
前記複数のデータキューブクラス定義は、前記データキューブクラス定義を使用して構築されたデータキューブが保護対象保健情報（ＰＨＩ）を含むかどうかを表示するパラメータを含む、発明３に記載の方法。
（発明１２）
前記パラメータを前記データキューブクラス定義の少なくとも１つの次元に基づいて動的に生成する、発明１１に記載の方法。
（発明１３）
前記受信することは、
前記ユーザが前記データ分析ツールにアクセスしている前記施設で常駐するローカルサーバでログイン情報を受信してユーザセッションを開始し、
前記ローカルサーバで受信した前記ログイン情報に基づいて、前記ユーザを中央サーバに対して認証し、及び
認証されたユーザログイン情報に基づいて前記ユーザセッションに関連するセッション変数を追加すること
を更に含み、
前記セッション変数は、前記ユーザが前記データ分析ツールにアクセスしている前記所定の施設を示す前記ユーザ情報を備える、発明１に記載の方法。
（発明１４）
前記セッション変数に少なくとも部分的に基づいてトークンを前記データ分析ツールに渡すことを更に含み、前記トークンを中央サーバで利用可能なトークンと比較して、前記ユーザが前記データ分析ツールへのアクセスを許可されるべきかどうかを決定する、発明１３に記載の方法。
（発明１５）
前記トークンが前記利用可能なトークンの１つと一致すると、前記トークンを前記ユーザに発行し、対応する前記利用可能なトークンを前記中央サーバから除去する、発明１４に記載の方法。
（発明１６）
前記セッション変数は、前記ユーザが受信する前記ログイン情報に少なくとも部分的に基づいて生成される前記ユーザのロール定義を含む、発明１３に記載の方法。
（発明１７）
前記ロール定義には、レポートの閲覧、レポートの編集、キューブクラス定義の閲覧、キューブクラス定義の編集、ピボットテーブルの閲覧、ピボットテーブルの編集、ダッシュボードの閲覧及びダッシュボードの編集に関連する前記ユーザの能力に関する表示が含まれる、発明１６に記載の方法。
（発明１８）
前記ユーザによる前記データ分析ツールの使用に関連してユーザアクティビティをロギング（記録）することを更に含む、発明１に記載の方法。
（発明１９）
前記ロギングすることは、前記ユーザと前記ユーザによる前記データ分析ツールの使用とに関する情報を記録することを含む、発明１８に記載の方法。
（発明２０）
前記ロギングすることは、前記ユーザに提示される前記動的に生成されたレポートの識別を記録することを含む、発明１９に記載の方法。
（発明２１）
前記ロギングすることは、前記ユーザに提示される前記動的に生成されたレポートが保護対象保健情報（ＰＨＩ）を含んでいたかどうかを記録することを含む、発明２０に記載の方法。
（発明２２）
前記多次元データセットが、用量の識別、前記用量の調製工程に関するデータ、用量のタイミングに関するデータ、用量調製中に生じたエラーに関するデータ、製品の廃棄に関するデータ、薬品使用に関するデータ、投与された薬物療法に関するデータ、薬物相互作用に関するデータ及び薬局ワークフロー管理アプリケーションでのアラートに対応するデータに関するデータを備える、発明１に記載の方法。
（発明２３）
多次元データセットの用量命令記録のサブセットに関するデータ分析のための用量命令記録に対応する多次元データセットを処理するためのデータ分析ツールを実装するためのシステムであって、
複数のローカルサーバと動作可能に通信する中央サーバであって、各ローカルサーバは患者に投与するための用量命令に対応する用量を調製するそれぞれの対応施設に配置されており、前記ローカルサーバから前記用量命令に対応する用量命令記録に関する情報を受信する中央サーバと、
前記複数のローカルサーバから受信する複数の用量命令記録を含む多次元データセットを備えるデータ構造を格納する中央サーバにあるデータベースであって、前記多次元データセットの前記複数の用量命令記録のそれぞれが前記用量命令記録の受信元の施設の少なくとも１つの表示を含むデータベースと、
前記複数の施設の１つのユーザからのユーザ情報を前記複数のローカルサーバの少なくとも１つから受信するための前記複数のローカルサーバと動作可能に通信するローカルサーバインタフェースであって、前記ユーザ情報はユーザがデータ分析ツールにアクセスしている所定の施設を表示する情報であるローカルサーバインタフェースと、
データ分析ツールとの動作可能な通信を促進するデータ分析インタフェースであって、前記データベースに格納される多次元データセットへのデータ分析ツールアクセスを提供して、前記ローカルサーバインタフェースから受信する前記ユーザ情報に基づいて前記ユーザが前記データ分析ツールにアクセスしている前記所定の施設に対応する前記多次元データセットのサブセットに関する動的に生成されるレポートを生成するデータ分析インタフェースと、
前記ユーザが前記データ分析ツールにアクセスしている前記所定の施設に対応する前記多次元データセットのサブセットに関する前記動的に生成されるレポートをユーザインタフェースで前記ユーザに提示するユーザインタフェースと
を備える、システム。
（発明２４）
前記データ分析ツールは、前記動的に生成されるレポートを生成するために前記多次元データセットに適用可能な複数のデータキューブクラス定義を備える、発明２３に記載のシステム。
（発明２５）
前記複数のデータキューブクラス定義は、前記複数のデータキューブクラス定義の他の全てが従属する基本キューブクラス定義を備える、発明２４に記載のシステム。
（発明２６）
前記基本キューブクラス定義は、前記用量命令記録に対応する施設の前記少なくとも１つの表示に関連する少なくとも１つのデータ次元を含む、発明２５に記載のシステム。
（発明２７）
前記中央サーバと動作可能に通信するデータ分析サーバ上で実行され、前記ユーザが前記データ分析ツールにアクセスしている所定の施設を表示する前記ユーザ情報に基づいて前記多次元データセットに前記基本キューブクラス定義を適用するためのデータ分析ツールを更に含み、ここで前記データ分析ツールは前記ユーザが前記データ分析ツールにアクセスしている前記所定の施設に対応する前記多次元データセットのサブセットにユーザがアクセス可能なデータを制限するデータキューブを前記適用に基づいて構築するように動作する、発明２６に記載のシステム。
（発明２８）
前記データ分析ツールは、前記多次元データセットのサブセットにおいて少なくとも１つのデータ変換操作を実行するように更に動作し、ここで前記少なくとも１つのデータ変換操作は、前記基本キューブクラス定義で定義される、発明２７に記載のシステム。
（発明２９）
前記少なくとも１つのデータ変換は、前記サブセットにおける各所定の用量命令記録の第１のデータフィールドを、前記サブセットの前記用量命令記録のそれぞれの第２のデータフィールドで自動的に書き換えることを含む、発明２８に記載のシステム。
（発明３０）
前記少なくとも１つのデータ変換を、用量命令記録の所定のタイプのみに適用する、発明２９に記載のシステム。
（発明３１）
前記用量命令記録のタイプは、完全腸管外栄養（ＴＰＮ）用量であり、前記第１のデータフィールドは用量説明フィールドを備え、前記第２のフィールドは前記所定の用量の薬品名フィールドを備える、発明３０に記載のシステム。
（発明３２）
前記中央サーバは、前記ユーザが前記データ分析ツールにアクセスしている前記所定の施設に対応する前記多次元データセットのサブセットに適用するために前記基本キューブクラス定義から従属する他のデータキューブクラス定義を呼び出し、前記多次元データセットのサブセットに関する前記動的に生成されるレポートを生成するように更に動作する、発明２７に記載のシステム。
（発明３３）
前記複数のデータキューブクラス定義は、前記データキューブクラス定義を使用して構築されたデータキューブが保護対象保健情報（ＰＨＩ）を含むかどうかを表示するパラメータを含む、発明２５に記載のシステム。
（発明３４）
前記パラメータは、前記データキューブクラス定義の少なくとも１つの次元に基づいて動的に生成される、発明３３に記載のシステム。
（発明３５）
前記ローカルサーバは、前記データ分析ツールにアクセスしている前記ユーザからログイン情報を受信してユーザセッションを開始するよう動作し、ここで前記ローカルサーバは前記ローカルサーバで受信された前記ログイン情報に基づいて前記ユーザを中央サーバに対して認証するよう前記中央サーバと通信するように動作し、前記中央サーバは認証されたユーザログイン情報に基づいて前記ユーザセッションに関連するセッション変数を追加するよう操作し、前記セッション変数は、前記ユーザが前記データ分析ツールにアクセスしている前記所定の施設を表示する前記ユーザ情報を含む、発明２３に記載のシステム。
（発明３６）
前記データ分析ツールは、前記サーバにアクセスしようと試みるユーザからトークンを受信するよう動作する暗号化サービスを更に備え、ここで前記トークンは前記中央サーバによって追加される前記セッション変数に少なくとも部分的に基づき、前記暗号化サービスは前記トークンを中央サーバで利用可能なトークンと比較して、前記ユーザが前記データ分析ツールへのアクセスを許可されるべきかどうかを決定するよう動作する、発明３５に記載のシステム。
（発明３７）
前記トークンが前記利用可能なトークンの１つと一致すると、前記トークンを前記ユーザに発行し、対応する前記利用可能なトークンを前記中央サーバから除去する、発明３６に記載のシステム。
（発明３８）
前記セッション変数は、前記ユーザが受信する前記ログイン情報に少なくとも部分的に基づいて生成される前記ユーザのロール定義を含む、発明２５に記載のシステム。
（発明３９）
前記ロール定義には、レポートの閲覧、レポートの編集、キューブクラス定義の閲覧、キューブクラス定義の編集、ピボットテーブルの閲覧、ピボットテーブルの編集、ダッシュボードの閲覧及びダッシュボードの編集に関連する前記ユーザの能力に関する表示が含まれる、発明３８に記載のシステム。
（発明４０）
前記ユーザによる前記データ分析ツールの使用に関連してユーザアクティビティをロギング（記録）するよう操作するロギングモジュールを更に備える、発明２３に記載のシステム。
（発明４１）
前記ロギングすることは、前記ユーザと前記ユーザによる前記データ分析ツールの使用とに関する情報を記録することを含む、発明４０に記載のシステム。
（発明４２）
前記ロギングすることは、前記ユーザに提示される前記動的に生成されたレポートの識別を記録することを含む、発明４１に記載のシステム。
（発明４３）
前記ロギングすることは、前記ユーザに提示される前記動的に生成されたレポートが保護対象保健情報（ＰＨＩ）を含んでいたかどうかを記録することを含む、発明４２に記載のシステム。
（発明４４）
前記多次元データセットが、用量の識別、前記用量の調製工程に関するデータ、用量のタイミングに関するデータ、用量調製中に生じたエラーに関するデータ、製品の廃棄に関するデータ、薬品使用に関するデータ、投与された薬物療法に関するデータ、薬物相互作用に関するデータ及び薬局ワークフロー管理アプリケーションでのアラートに対応するデータに関するデータを備える、発明２３に記載のシステム。
（発明４５）
多次元データセットの用量命令記録のサブセットに関するデータ分析をユーザに提供するのに使用する前記用量命令記録に対応する前記多次元データセットを処理するためのデータ分析ツールへの選択的なアクセスをユーザに提供するシステムであって、
複数のローカルサーバと動作可能に通信する中央サーバであって、各ローカルサーバは患者に投与するための用量命令に対応する用量を調製するそれぞれの対応施設に配置されており、前記ローカルサーバから前記用量命令に対応する用量命令記録に関する情報を受信する中央サーバと、
前記複数のローカルサーバから受信する複数の用量命令記録を含む多次元データセットを備えるデータ構造を格納する中央サーバにあるデータベースであって、前記多次元データセットの前記複数の用量命令記録のそれぞれが前記用量命令記録の受信元の施設の少なくとも１つの表示を含むデータベースと、
前記複数の施設の１つの前記ユーザからのユーザ情報を前記複数のローカルサーバの少なくとも１つから受信するための前記複数のローカルサーバと動作可能に通信するローカルサーバインタフェースであって、前記ユーザ情報はユーザがデータ分析ツールにアクセスしている所定の施設を表示する情報であるローカルサーバインタフェースと、
前記データベースに格納される前記多次元データセットにアクセスするために前記データベースに動作可能と通信し、前記ローカルサーバインタフェースから受信する前記ユーザ情報に基づいて前記ユーザがデータ分析ツールにアクセスしている前記所定の施設に対応する前記多次元データセットのサブセットに関する動的に生成されるレポートを生成するデータ分析ツールと、
前記ユーザが前記データ分析ツールにアクセスしている前記所定の施設に対応する前記多次元データセットのサブセットに関する前記動的に生成されるレポートをユーザインタフェースで前記ユーザに提示するユーザインタフェースと
を備える、システム。
（発明４６）
前記データ分析ツールは、前記動的に生成されるレポートを生成するために前記多次元データセットに適用可能な複数のデータキューブクラス定義を備える、発明４５に記載のシステム。
（発明４７）
前記複数のデータキューブクラス定義は、前記複数のデータキューブクラス定義の他の全てが従属する基本キューブクラス定義を備える、発明４６に記載のシステム。
（発明４８）
前記基本キューブクラス定義は、前記用量命令記録に対応する施設の前記少なくとも１つの表示に関連する少なくとも１つのデータ次元を含む、発明４７に記載のシステム。
（発明４９）
前記データ分析ツールは、前記多次元データセットのサブセットにおいて少なくとも１つのデータ変換操作を実行するように更に動作し、ここで前記少なくとも１つのデータ変換操作は、前記基本キューブクラス定義で定義される、発明４８に記載のシステム。
（発明５０）
前記少なくとも１つのデータ変換は、前記サブセットにおける各所定の用量命令記録の第１のデータフィールドを、前記サブセットの前記用量命令記録のそれぞれの第２のデータフィールドで自動的に書き換えることを含む、発明４９に記載のシステム。
（発明５１）
前記少なくとも１つのデータ変換を、用量命令記録の所定のタイプのみに適用する、発明５０に記載のシステム。
（発明５２）
前記用量命令記録のタイプは、完全腸管外栄養（ＴＰＮ）用量であり、前記第１のデータフィールドは用量説明フィールドを備え、前記第２のフィールドは前記所定の用量の薬品名フィールドを備える、発明５１に記載のシステム。
（発明５３）
前記中央サーバは、前記ユーザが前記データ分析ツールにアクセスしている前記所定の施設に対応する前記多次元データセットのサブセットに適用するために前記基本キューブクラス定義から従属する他のデータキューブクラス定義を呼び出し、前記多次元データセットのサブセットに関する前記動的に生成されるレポートを生成するよう更に動作する、発明４９に記載のシステム。
（発明５４）
前記複数のデータキューブクラス定義は、前記データキューブクラス定義を使用して構築されたデータキューブが保護対象保健情報（ＰＨＩ）を含むかどうかを示すパラメータを含む、発明５３に記載のシステム。
（発明５５）
前記パラメータは、前記データキューブクラス定義の少なくとも１つの次元に基づいて動的に生成される、発明５４に記載のシステム。
（発明５６）
前記ローカルサーバは、前記データ分析ツールにアクセスしている前記ユーザからログイン情報を受信してユーザセッションを開始するよう動作し、ここで前記ローカルサーバは前記ローカルサーバで受信された前記ログイン情報に基づいて前記ユーザを中央サーバに対して認証するよう前記中央サーバと通信するように動作し、前記中央サーバは認証されたユーザログイン情報に基づいて前記ユーザセッションに関連するセッション変数を追加するよう操作し、前記セッション変数は、前記ユーザが前記データ分析ツールにアクセスしている前記所定の施設を表示する前記ユーザ情報を含む、発明４５に記載のシステム。
（発明５７）
前記データ分析ツールは、前記サーバにアクセスしようと試みるユーザからトークンを受信するよう操作する暗号化サービスを更に備え、ここで前記トークンは前記中央サーバによって追加される前記セッション変数に少なくとも部分的に基づき、前記暗号化サービスは前記トークンを中央サーバで利用可能なトークンと比較して、前記ユーザが前記データ分析ツールへのアクセスを許可されるべきかどうかを決定するよう操作する、発明５６に記載のシステム。
（発明５８）
前記トークンが前記利用可能なトークンの１つと一致すると、前記トークンを前記ユーザに発行し、対応する前記利用可能なトークンを前記中央サーバから除去する、発明５７に記載のシステム。
（発明５９）
前記セッション変数は、前記ユーザが受信する前記ログイン情報に少なくとも部分的に基づいて生成される前記ユーザのロール定義を含む、発明５６に記載のシステム。
（発明６０）
前記ロール定義には、レポートの閲覧、レポートの編集、キューブクラス定義の閲覧、キューブクラス定義の編集、ピボットテーブルの閲覧、ピボットテーブルの編集、ダッシュボードの閲覧及びダッシュボードの編集に関連する前記ユーザの能力に関する表示が含まれる、発明４９に記載のシステム。
（発明６１）
前記ユーザによる前記データ分析ツールの使用に関連してユーザアクティビティをロギング（記録）するよう操作するロギングモジュールを更に備える、発明４５に記載のシステム。
（発明６２）
前記ロギングすることは、前記ユーザと前記ユーザによる前記データ分析ツールの使用とに関する情報を記録することを含む、発明６１に記載のシステム。
（発明６３）
前記ロギングすることは、前記ユーザに提示される前記動的に生成されたレポートの識別を記録することを含む、発明６２に記載のシステム。
（発明６４）
前記ロギングすることは、前記ユーザに提示される前記動的に生成されたレポートが保護対象保健情報（ＰＨＩ）を含んでいたかどうかを記録することを含む、発明６３に記載のシステム。
（発明６５）
前記多次元データセットが、用量の識別、前記用量の調製工程に関するデータ、用量のタイミングに関するデータ、用量調製中に生じたエラーに関するデータ、製品の廃棄に関するデータ、薬品使用に関するデータ、投与された薬物療法に関するデータ、薬物相互作用に関するデータ及び薬局ワークフロー管理アプリケーションでのアラートに対応するデータに関するデータを含む、発明４５に記載のシステム。